(57)【要約】【課題】複数回の手続きによる情報を、簡易なシステム構成で、かつ、利用者に手間をかけさせずに一元的に管理する。【解決手段】少なくとも情報管理装置４０の宛先情報が、該宛先情報である旨を示すタグとともに含まれてなる二次元コード１１ａ〜１１ｃが掲載されたシート１０ａ〜１０ｃを設け、携帯端末２０にて、シート１０ａ〜１０ｃから読み取られた二次元コード１１ａ〜１１ｃの中にタグを認識した場合、情報管理装置４０の宛先情報を宛先とした電子メール送信画面を編集して表示し、情報管理装置４０において、携帯端末２０から電子メール送信画面による電子メールが送信されてきた場合に携帯端末２０の電子メールアドレスに対応づけて電子メールによる情報を管理する。【選択図】  図１
2004355353.tif 000002
【特許請求の範囲】
【請求項１】
通信回線に接続可能な端末と、該端末から送信されてくる情報を前記通信回線を介して受信し、受信された情報によって特定される情報を管理する情報管理手段とを少なくとも有してなる情報管理システムであって、
少なくとも前記情報管理手段の宛先情報が、該宛先情報である旨を示す識別子とともに含まれてなる識別情報が記録された情報管理用媒体を有し、
前記端末は、前記情報管理用媒体から読み取られた前記識別情報の中に前記識別子を認識した場合、前記宛先情報を宛先とした電子メール送信画面を編集して表示し、
前記情報管理手段は、前記端末から前記電子メール送信画面による電子メールが送信されてきた場合に当該端末の電子メールアドレスに対応づけて前記電子メールによる情報を管理することを特徴とする情報管理システム。
【請求項２】
請求項１に記載の情報管理システムにおいて、
前記情報管理手段は、前記端末から前記電子メール送信画面による電子メールが送信されてきた場合に、前記電子メールによる情報に応じた通知情報を当該電子メールの送信元の端末に送信することを特徴とする情報管理システム。
【請求項３】
請求項１または請求項２に記載の情報管理システムにおいて、前記端末は複数設けられ、
前記情報管理手段は、前記複数の端末の電子メールアドレスを予め決められた対応づけで管理しておき、前記端末から電子メールが送信されてきた場合、該電子メールの送信元となる端末の電子メールアドレスと対応づけられた電子メールアドレスによって特定される端末に前記電子メールによる情報を送信することを特徴とする情報管理システム。
【発明の詳細な説明】
【０００１】
【発明の属する技術分野】
本発明は、複数回の手続きによる情報を一元的に管理する情報管理システムに関する。
【０００２】
【従来の技術】
従来、複数回の手続きを一元的に管理する情報管理システムとして、例えば、非接触型ＩＣカードを用いたラリーゲームシステムが考えられている。この非接触型ＩＣカードを用いたラリーゲームシステムにおいては、ラリーゲームの参加者に、それぞれ固有のＩＤが書き込まれた非接触型ＩＣカードを所持させ、かつ、ラリーゲーム毎に決められた指定場所に、非接触型ＩＣカードに対して情報の書き込み及び読み出しを行う非接触式リーダライタ及びこの非接触式リーダライタに接続された端末装置をそれぞれ設置し、さらに、この端末装置を１つのコンピュータに接続しておく。ラリーゲームの参加者が指定場所に到着した際、該指定場所に設置された非接触式リーダライタにて非接触型ＩＣカードに書き込まれたＩＤを読み取らせると、読み取られたＩＤが端末装置を介してコンピュータに送られ、参加者がその指定場所に到着したことが管理される。このようにして、参加者が指定場所に到着する度毎にその指定場所に到着したことが順次管理され、ラリーゲームが進められることになる（例えば、特許文献１参照。）。
【０００３】
また、商品に貼付される応募シールに記載された応募コード及び応募者を特定可能な応募者コードを用いて応募者の複数回による応募情報を管理する応募情報管理システムが考えられている。この応募情報管理システムにおいては、商品に貼付される応募シールに記載された応募コード及び応募者を特定可能な応募者コードが、コンピュータネットワークに接続された端末に入力されると、端末に入力された応募コード及び応募者コードが、コンピュータネットワークを介して応募情報処理システムに送られ、応募情報処理システムにおいて、端末から送られてきた応募コードを用いて、応募者コードによって識別される応募者のデータファイルが作成、管理される。応募情報処理システムにてデータファイルが作製された後、同一の応募者コードとともに端末から応募コードが送られてくると、送られてきた応募コードを用いて、その応募者コードによって識別される応募者のデータファイルの内容が更新される（例えば、特許文献２参照。）。
【０００４】
また、商品にＵＲＬと商品ＩＤとを付与しておき、このＵＲＬによって特定されるサーバにて、指定された商品ＩＤを用いて顧客毎の購入履歴やポイントを管理する権利提供システムが考えられている。この権利提供システムにおいては、商品にＵＲＬと商品ＩＤとを付与しておき、利用者が商品に付与されたＵＲＬにて特定されるサーバにアクセスし、顧客に予め付与された顧客ＩＤと商品ＩＤとを指定すると、ＵＲＬにて特定されるサーバにおいて、指定された商品ＩＤを用いて、指定された顧客ＩＤによって識別される顧客について、購入履歴やポイント数が管理される（例えば、特許文献３参照。）。
【０００５】
【特許文献１】
特開２０００−２１８０３３号公報
【特許文献２】
特開２００２−７６３２号公報
【特許文献３】
特開２００２−１８９９３９号公報
【０００６】
【発明が解決しようとする課題】
しかしながら、上述したような従来の情報管理システムにおいては、以下に記載するような問題点がある。
【０００７】
（１）非接触型ＩＣカードを用いたラリーゲームシステムにおいては、ラリーゲーム参加者のそれぞれに非接触型ＩＣカードを付与しなければならないとともに、指定場所毎に非接触式リーダライタ及び端末装置を設置しなければならないため、必要となる設備を準備するためのコスト及び労力がかかってしまう。
【０００８】
（２）商品に貼付される応募シールに記載された応募コード及び応募者を特定可能な応募者コードを用いて応募者の複数回による応募情報を管理する応募情報管理システムにおいては、応募者が、応募シールに記載された応募コード及び応募者を特定可能な応募者コードを端末に入力する必要があるため、応募者にてそのための手間がかかってしまうとともに、応募コード及び応募者コードの入力ミスが生じてしまう虞れがあり、入力ミスを低減するためには、応募コードや応募者コードの桁数を含めたコード体系が制限されてしまう。
【０００９】
（３）商品にＵＲＬと商品ＩＤとを付与しておき、このＵＲＬによって特定されるサーバにて、指定された商品ＩＤを用いて顧客毎の購入履歴やポイントを管理する権利提供システムにおいては、サーバにおいて、ＵＲＬによって特定されるサイトを構築する必要があるため、情報管理側においてサイトを構築するためのコスト及び労力がかかってしまう。また、利用者が商品に付与されたＵＲＬにて特定されるサーバにアクセスし、顧客に予め付与された顧客ＩＤと商品ＩＤとを指定する必要があるため、利用者にてそのための手間がかかってしまうとともに、ＵＲＬ、商品ＩＤ及び顧客ＩＤの入力ミスが生じてしまう虞れがある。
【００１０】
本発明は、上述したような従来の技術が有する問題点に鑑みてなされたものであって、複数回の手続きによる情報を、簡易なシステム構成で、かつ、利用者に手間をかけさせずに一元的に管理することができる情報管理システムを提供することを目的とする。
【００１１】
【課題を解決するための手段】
上記目的を達成するために本発明は、
通信回線に接続可能な端末と、該端末から送信されてくる情報を前記通信回線を介して受信し、受信された情報によって特定される情報を管理する情報管理手段とを少なくとも有してなる情報管理システムであって、
少なくとも前記情報管理手段の宛先情報が、該宛先情報である旨を示す識別子とともに含まれてなる識別情報が記録された情報管理用媒体を有し、
前記端末は、前記情報管理用媒体から読み取られた前記識別情報の中に前記識別子を認識した場合、前記宛先情報を宛先とした電子メール送信画面を編集して表示し、
前記情報管理手段は、前記端末から前記電子メール送信画面による電子メールが送信されてきた場合に当該端末の電子メールアドレスに対応づけて前記電子メールによる情報を管理することを特徴とする。
【００１２】
また、前記情報管理手段は、前記端末から前記電子メール送信画面による電子メールが送信されてきた場合に、前記電子メールによる情報に応じた通知情報を当該電子メールの送信元の端末に送信することを特徴とする。
【００１３】
また、前記端末は複数設けられ、
前記情報管理手段は、前記複数の端末の電子メールアドレスを予め決められた対応づけで管理しておき、前記端末から電子メールが送信されてきた場合、該電子メールの送信元となる端末の電子メールアドレスと対応づけられた電子メールアドレスによって特定される端末に前記電子メールによる情報を送信することを特徴とする。
【００１４】
（作用）
上記のように構成された本発明においては、情報管理用媒体に記録された識別情報に、通信回線に接続可能な端末から送信される情報によって特定される情報を管理する情報管理手段の宛先情報が、該宛先情報である旨を示す識別子とともに含まれており、端末にて情報管理用媒体に記録された識別情報が読み取られ、読み取られた識別情報の中に識別子が認識された場合、情報管理手段の宛先情報を宛先とした電子メール送信画面が編集され、表示される。情報管理手段においては、端末から電子メール送信画面による電子メールが送信されてきた場合に当該端末の電子メールアドレスに対応づけて電子メールによる情報が管理されることになる。
【００１５】
このように、情報管理用媒体に記録された識別情報を端末にて読み取ることのみによって、通信回線に接続可能な端末から送信される情報によって特定される情報を管理する情報管理手段を宛先とした電子メール送信画面が編集されるので、端末の利用者が、編集された電子メール送信画面によって情報管理手段に電子メールを送信するだけで、その宛先情報あるいは宛先情報の他に識別情報に含まれる情報が情報管理手段に通知され、その後、通知された情報を電子メールの送信元となる端末の電子メールアドレスと対応づけて管理することができる。
【００１６】
また、情報管理手段において、端末から電子メール送信画面による電子メールが送信されてきた場合に、電子メールによる情報に応じた通知情報を当該電子メールの送信元の端末に送信すれば、端末の利用者は、情報管理手段に送信された電子メールによる情報に応じた通知情報を取得することができる。
【００１７】
また、情報管理手段において、複数の端末の電子メールアドレスを予め決められた対応づけで管理しておき、端末から電子メールが送信されてきた場合、該電子メールの送信元となる端末の電子メールアドレスと対応づけられた電子メールアドレスによって特定される端末に電子メールによる情報を送信すれば、端末の利用者は、予め対応づけられた端末から情報管理手段に送信された情報を認識することができる。
【００１８】
【発明の実施の形態】
以下に、本発明の実施の形態について図面を参照して説明する。
【００１９】
（第１の実施の形態）
図１は、本発明の情報管理システムの第１の実施の形態を示す図であり、本発明をポイントラリーゲームに適用した例を示す。
【００２０】
本形態は図１に示すように、ポイントラリーのポイント地点毎に設置され、そのポイント地点を示すポイント地点情報１２ａ〜１２ｃが掲載されるとともに、互いに異なる電子メールアドレス及びその情報が電子メールアドレスである旨を示す識別子であるタグが少なくとも含まれてなる識別情報である二次元コード１１ａ〜１１ｃが掲載された情報管理用媒体であるシート１０ａ〜１０ｃと、二次元コード１１ａ〜１１ｃを読取可能に構成され、読み取られた二次元コード１１ａ〜１１ｃに含まれるタグによって、二次元コード１１ａ〜１１ｃに含まれる電子メールアドレスが送信先アドレスに設定された電子メール送信画面を編集、表示し、この電子メール送信画面による電子メールを通信回線３０を介して送信する携帯端末２０と、通信回線３０を介して携帯端末２０から送信されてきた電子メールを受信し、受信した電子メールによる情報をこの電子メールの送信元となる携帯端末２０の電子メールアドレスに対応づけて管理情報データベース５１に登録するとともに、配信情報データベース５２に登録された配信情報を用いて、受信した電子メールによる情報に応じた通知情報を携帯端末２０に送信する情報管理装置４０とから構成されている。また、情報管理装置４０は、通信回線３０を介して携帯端末２０から送信されてきた電子メールを受信して解析するとともに、受信された電子メールに応じた通知情報を通信回線３０を介して携帯端末２０に送信するメール送受信部４１と、メール送受信部４１にて受信された電子メールによる情報をこの電子メールの送信元となる携帯端末２０の電子メールアドレスに対応づけて管理情報データベース５１に登録して管理する情報登録管理部４２と、配信情報データベース５２に登録された配信情報を用いて、メール送受信部４１にて受信された電子メールによる情報に応じた通知情報を設定する通知情報設定部４３とから構成されている。
【００２１】
以下に、上記のように構成された情報管理システムを用いたポイントラリーゲームの方法について説明する。
【００２２】
図２は、図１に示した情報管理システムを用いたポイントラリーゲームの方法を説明するためのフローチャートである。
【００２３】
携帯端末２０の利用者が、例えば、シート１０ａが設置されたポイント地点に到着し、携帯端末２０に設けられた識別情報読取手段（不図示）において、シート１０ａに印刷された二次元コード１１ａが読み取られると（ステップＳ１）、携帯端末２０に内蔵された識別情報解析プログラムによって、二次元コード１１ａに含まれるタグが解析される（ステップＳ２）。なお、シート１０ａ〜１０ｃに掲載された二次元コード１１ａ〜１１ｃには、互いに異なる電子メールアドレスが、その情報が電子メールである旨を示すタグとともに含まれている。二次元コード１１ａから１１ｃに含まれる情報は、例えば、＜ｍａｉｌ＞ｘｘｘ＠ｘｘ．ｘｘ＜／ｍａｉｌ＞のような情報であり、メールアドレス“ｘｘｘ＠ｘｘ．ｘｘ”が、タグ“＜ｍａｉｌ＞”とタグ“＜／ｍａｉｌ＞”とに挟まれた状態で記録されており、このタグに基づいて、識別情報解析プログラムによって、メールアドレスとして解析されることとなる。なお、タグ“＜ｍａｉｌ＞”，“＜／ｍａｉｌ＞”の書式については、これに限定されることはなく、識別情報解析プログラムにて解析可能なものであればよく、メールアドレスに含まれる“＠”を中心として、その前後をメールアドレスとして解析する方法も考えられる。また、二次元コード１１ａ〜１１ｃに含まれる電子メールアドレスは、全て情報管理装置４０にて管理されているものであって、二次元コード１１ａ〜１１ｃに含まれる電子メールアドレスが送信先アドレスとして設定された電子メールは全て情報管理装置４０にて受信されることになる。それにより、情報管理装置４０においては、受信された電子メールの送信先アドレスを認識することにより、携帯端末２０にてどのシート１０ａ〜１０ｃに掲載された二次元コード１１ａ〜１１ｃが読み取られたかを識別することができる。
【００２４】
携帯端末２０においては、シート１０ａから読み取られた二次元コード１１ａに、電子メールアドレスである旨を示すタグが含まれている場合、識別情報解析プログラムによって、読み取られた二次元コード１１ａに含まれる情報が電子メール送信用の情報であると判断され、携帯端末２０に内蔵されたメールソフトを自動的に起動させ、そのタグとともに二次元コード１１ａに含まれた電子メールのメールアドレスが送信先アドレスとして携帯端末２０内の電子メール作成手段（不図示）に通知され、電子メール作成手段において、通知されたメールアドレスが送信先に設定された電子メール送信画面が編集され（ステップＳ３）、携帯端末２０内の表示手段によって表示される（ステップＳ４）。
【００２５】
その後、携帯端末２０の利用者が、携帯端末２０に表示された電子メール送信画面に掲載される送信ボタンを押下すると、携帯端末２０内の電子メール送信手段（不図示）によって、電子メールが送信され（ステップＳ５）、携帯端末２０から送信された電子メールが通信回線３０を介して情報管理装置４０にて受信される（ステップＳ６）。
【００２６】
携帯端末２０から送信された電子メールが情報管理装置４０にて受信されると、まず、情報管理装置４０のメール送受信部４１において、受信された電子メールが解析され（ステップＳ７）、その後、情報登録管理部４２において、解析された電子メールによる情報が管理情報データベース５１に登録される（ステップＳ８）。
【００２７】
ここで、メール送受信部４１における受信メールの解析処理及び情報登録管理部４２における情報の登録処理について詳細に説明する。
【００２８】
まず、メール送受信部４１においては、受信された電子メールの送信先アドレスと送信元アドレスが認識され、認識された送信先アドレスと送信元アドレスが情報管理登録部４２に通知される。
【００２９】
ここで、管理情報データベース５１には、シート１０ａ〜１０ｃに掲載された二次元コード１１ａ〜１１ｃに含まれる電子メールアドレスがポイント地点を識別可能に登録されているため、情報管理登録部４２においては、メール送受信部４１から通知された送信先アドレスによって、携帯端末２０にてどのシート１０ａ〜１０ｃに掲載された二次元コード１１ａ〜１１ｃが読み取られたかが識別される。
【００３０】
また、情報管理登録部４２においては、メール送受信部４１から通知された送信元アドレスが既に管理情報データベース５１に登録されているかどうかが確認され、メール送受信部４１から通知された送信元アドレスが管理情報登録部４２に登録されていない場合は、送信元メールアドレスと送信先メールアドレスとが互いに対応づけられて管理情報データベース５１に登録される。一方、メール送受信部４１から通知された送信元アドレスが既に管理情報データベース５１に登録されている場合は、メール送受信部４１から通知された送信先アドレスが管理情報データベース５１に登録されている送信元アドレスと対応づけられて管理情報データベース５１に登録される。これにより、携帯端末２０にてどのシート１０ａ〜１０ｃに掲載された二次元コード１１ａ〜１１ｃが既に読み取られているかが管理情報データベース５１に登録され、情報登録管理部４２にて管理されることになる。また、携帯端末２０から電子メールが送信された時間についても、その電子メールの送信先アドレスと対応づけられて管理情報データベース５１に登録される。
【００３１】
このように、シート１０ａ〜１０ｃに掲載された二次元コード１１ａ〜１１ｃに含まれる電子メールアドレスによる電子メールの情報管理装置４０における受信状況が携帯端末２０の電子メールアドレスと対応づけて管理されるため、携帯端末２０の利用者の、シート１０ａ〜１０ｃが設置されたポイント地点の通過及びその時間が情報管理装置４０にて一元的に管理されることになる。
【００３２】
また、通信回線３０に含まれる無線基地局（不図示）のうち、携帯端末２０が存在している領域をカバーするセルを有し、携帯端末２０と通信を行う無線基地局の位置情報や、携帯端末２０が自装置位置検出機能を有するものである場合は携帯端末２０にて検出された位置情報が、電子メールとともに情報管理装置４０に通知されれば、情報管理装置４０において、携帯端末２０にてシート１０ａ〜１０ｃに掲載された二次元コード１１ａ〜１１ｃが読み取られた際の位置情報を取得することができ、例えば、シート１０ａ〜１０ｃが設置されたポイント地点と携帯端末２０から電子メールが送信された地点とを照合することができるので、メールアドレスを他の利用者に送信して、送信された利用者が、送信されたメールアドレスを使用して電子メールを送信することにより、あたかもその地点に到着したかのように振舞うことをチェックすることができる。
【００３３】
また、その後、情報登録管理部４２にて管理される情報が通知情報設定部４３に通知され、通知情報設定部４３において、配信情報データベース５２に登録された配信情報を用いて、情報登録管理部４２から通知された情報に応じた通知情報が設定され（ステップＳ９）、設定された通知情報がメール送受信部４１を介して携帯端末２０に送信される（ステップＳ１０）。例えば、配信情報データベース５２に、ポイントラリーの経路が登録されている場合、通知情報設定部４３において、情報登録管理部４２から通知された情報に応じて、携帯端末２０の利用者が次に向かうべき地点までの経路が配信情報データベース５２から検索され、この経路がメール送受信部４１を介して携帯端末２０に送信される。その場合、情報登録管理部４２から通知された情報に応じて、携帯端末２０の利用者の、シート１０ａ〜１０ｃが設置されたポイント地点の通過時間が所定の時間よりも遅い場合は、適宜変更された経路が通知情報として設定され、メール送受信部４１を介して携帯端末２０に送信されることも考えられる。また、配信情報データベース５２に、シート１０ａ〜１０ｃが設置されたポイント地点周辺のレストランや見所等の情報が登録されている場合は、通知情報設定部４３において、携帯端末２０の利用者が通過したと判断されたポイント地点周辺のレストランや見所等の情報が配信情報データベース５２から検索され、この情報がメール送受信部４１を介して携帯端末２０に送信されることも考えられる。
【００３４】
情報管理装置４０から送信された通知情報は、通信回線３０を介して携帯端末２０にて受信、表示される（ステップＳ１１）。
【００３５】
また、複数の利用者によってラリーポイントゲームを行う場合、競争相手が所持する携帯端末の電子メールアドレスと利用者の電子メールアドレスとを互いに対応づけて管理情報データベース５１に登録しておき、携帯端末からシート１０ａ〜１０ｃに掲載された二次元コード１１ａ〜１１ｃによる電子メールが情報管理装置４０に送信されてくる度毎に、その電子メールの送信先アドレスによって特定されるポイント地点をその携帯端末の利用者が通過した旨を示す電子メールを競争相手に送信することにより、ゲームをより楽しいものにすることも考えられる。
【００３６】
なお、本形態においては、ポイント地点毎に設置されたシート１０ａ〜１０ｃに掲載された二次元コード１１ａ〜１１ｃが携帯端末２０にて読み取られているが、二次元コード１１ａ〜１１ｃの代わりに、上述したような情報が書き込まれたＲＦ−ＩＤをシート１０ａ〜１０ｃに貼付することも考えられる。
【００３７】
（第２の実施の形態）
図３は、本発明の情報管理システムの第２の実施の形態を示す図であり、本発明を、商品等に付加されたポイントを管理するポイント管理システム適用した例を示す。
【００３８】
本形態は図３に示すように、商品１１０ａ〜１１０ｃ毎に貼付され、商品１１０ａ〜１１０ｃを識別可能な商品識別コード及び応募コードと互いに同一の電子メールアドレス及びその情報が電子メールアドレスである旨を示す識別子であるタグとが少なくとも含まれてなる二次元コード１１１ａ〜１１１ｃが掲載された情報管理用媒体であるシール１１２ａ〜１１２ｃと、二次元コード１１１ａ〜１１１ｃを読取可能に構成され、読み取られた二次元コード１１１ａ〜１１１ｃに含まれるタグによって、二次元コード１１１ａ〜１１１ｃに含まれる電子メールアドレスが送信先アドレスに設定され、かつ、二次元コード１１１ａ〜１１１ｃに含まれる商品識別コード及び応募コードが掲載された電子メール送信画面を編集、表示し、この電子メール送信画面による電子メールを通信回線１３０を介して送信する携帯端末１２０と、通信回線１３０を介して携帯端末１２０から送信されてきた電子メールを受信し、受信した電子メールによる情報をこの電子メールの送信元となる携帯端末１２０の電子メールアドレスに対応づけて管理情報データベース１５１に登録するとともに、管理情報データベース１５１に登録された情報を携帯端末１２０に送信する情報管理装置１４０とから構成されている。また、情報管理装置１４０は、通信回線１３０を介して携帯端末１２０から送信されてきた電子メールを受信して解析するとともに、管理情報データベース１５１に登録された情報を通信回線１３０を介して携帯端末１２０に送信するメール送受信部１４１と、メール送受信部１４１にて受信された電子メールによる情報をこの電子メールの送信元となる携帯端末１２０の電子メールアドレスに対応づけて管理情報データベース１５１に登録して管理するとともに、管理情報データベース１５１に登録された情報をメール送受信部１４１に通知する情報登録管理部１４２とから構成されている。
【００３９】
以下に、上記のように構成された情報管理システムを用いたポイント管理方法について説明する。
【００４０】
図４は、図３に示した情報管理システムを用いたポイント管理方法を説明するためのフローチャートである。
【００４１】
携帯端末１２０の利用者が、例えば、商品１１０ａを購入し、携帯端末２０に設けられた識別情報読取手段（不図示）において、商品１１０ａに貼付されたシール１１２ａに掲載された二次元コード１１１ａが読み取られると（ステップＳ２１）、携帯端末１２０に内蔵された識別情報解析プログラムによって、二次元コード１１１ａに含まれるタグが解析される（ステップＳ２２）。なお、シール１１２ａ〜１１２ｃに掲載された二次元コード１１１ａ〜１１１ｃには、情報管理装置１４０の電子メールアドレスが、その情報が電子メールである旨を示すタグとともに含まれている。二次元コード１１１ａ〜１１１ｃに含まれる情報は、例えば、＜ｍａｉｌ＞ｘｘｘ＠ｘｘ．ｘｘ＜／ｍａｉｌ＞のような情報であり、メールアドレス“ｘｘｘ＠ｘｘ．ｘｘ”が、タグ“＜ｍａｉｌ＞”とタグ“＜／ｍａｉｌ＞”とに挟まれた状態で記録されており、このタグに基づいて、識別情報解析プログラムによって、メールアドレスとして解析されることとなる。なお、タグ“＜ｍａｉｌ＞”，“＜／ｍａｉｌ＞”の書式については、これに限定されることはなく、識別情報解析プログラムにて解析可能なものであればよく、メールアドレスに含まれる“＠”を中心として、その前後をメールアドレスとして解析する方法も考えられる。また、商品１１０ａ〜１１０ｃを識別可能な商品識別コード及びポイントサービスに応募するための応募コードが、これらの情報が電子メールに掲載される情報である旨を示すタグとともに含まれている。例えば、＜ｄａｔａ＞１２３４５＜／ｄａｔａ＞のような情報であり、応募コード“１２３４５”が、タグ“＜ｄａｔａ＞”とタグ“＜／ｄａｔａ＞”とに挟まれた状態で記録されており、このタグに基づいて、識別情報解析プログラムによって、表示データとして解析されることとなる。なお、商品毎に異なる応募コードを設定して、同じコードで複数回の応募を許可しないようにする場合には、悪意により応募コード自体を簡単に生成できないようにすることが望ましい。その１つの方法として、携帯電話ではキー入力できないような文字コードを添付ファイルとして添付する方法が考えられる。例えば、＜ｔｅｍｐ＞？？？＜／ｔｅｍｐ＞のような情報であり、応募コード“？？？”が、タグ“＜ｔｅｍｐ＞”とタグ“＜／ｔｅｍｐ＞”とに挟まれた状態で記録されており、このタグに基づいて、識別情報解析プログラムによって、添付ファイル情報として解析され、識別情報解析プログラムによって、添付ファイルとして添付されることとなる。この場合、応募コード“？？？”を携帯電話ではキー入力できないような文字コードにて構成したり、暗号化したコード情報にすることにより、簡単に任意の応募コードを生成することを防止することができる。また、この電子メールのタイトルを示す情報が、その情報が電子メールのタイトル情報である旨を示すタグとともに含まれていることも考えられる。例えば、＜ｔｉｔｌｅ＞ポイントゲット＜／ｔｉｔｌｅ＞のような情報であり、タイトル情報“ポイントゲット”が、タグ“＜ｔｉｔｌｅ＞”とタグ“＜／ｔｉｔｌｅ＞”とに挟まれた状態で記録されており、このタグに基づいて、識別情報解析プログラムによって、タイトル情報として解析されることとなる。
【００４２】
携帯端末１２０においては、シール１１２ａから読み取られた二次元コード１１１ａに、電子メールアドレスである旨を示すタグが含まれている場合、識別情報解析プログラムによって、読み取られた二次元コード１１１ａに含まれる情報が電子メール送信用の情報であると判断され、携帯端末１２０に内蔵されたメールソフトを自動的に起動させ、そのタグとともに二次元コード１１１ａに含まれた情報管理装置１４０の電子メールのメールアドレスが送信先アドレスとして携帯端末１２０内の電子メール作成手段（不図示）に通知され、電子メール作成手段において、通知されたメールアドレスが送信先に設定された電子メール送信画面が編集される（ステップＳ２３）。また、電子メールに掲載される情報である旨を示すタグとともに二次元コード１１１ａに含まれた商品識別コード及び応募コードにおいても、電子メールに掲載される情報として識別情報解析プログラムから電子メール作成手段に通知され、電子メール作成手段において、情報管理装置１４０の電子メールアドレスが送信先アドレスに設定された電子メールに識別情報解析プログラムから通知された商品識別コード及び応募コードが掲載される。電子メール作成手段にて編集された電子メール送信画面は、携帯端末２０内の表示手段によって表示される（ステップＳ２４）。
【００４３】
その後、携帯端末１２０の利用者が、携帯端末１２０に表示された電子メール送信画面に掲載される送信ボタンを押下すると、携帯端末１２０内の電子メール送信手段（不図示）によって、電子メールが送信され（ステップＳ２５）、携帯端末１２０から送信された電子メールが通信回線１３０を介して情報管理装置１４０にて受信される（ステップＳ２６）。
【００４４】
携帯端末１２０から送信された電子メールが情報管理装置１４０にて受信されると、まず、情報管理装置１４０のメール送受信部１４１において、受信された電子メールが解析され（ステップＳ２７）、その後、情報登録管理部１４２において、解析された電子メールによる情報が管理情報データベース１５１に登録される（ステップＳ２８）。
【００４５】
ここで、メール送受信部１４１における受信メールの解析処理及び情報登録管理部１４２における情報の登録処理について詳細に説明する。
【００４６】
まず、メール送受信部１４１において、受信された電子メールの送信元アドレス及び電子メールに掲載された商品識別コード及び応募コードが認識され、認識された送信元アドレス、商品識別コード及び応募コードが情報管理登録部１４２に通知される。
【００４７】
ここで、管理情報データベース１５１には、シール１１２ａ〜１１２ｃに掲載された二次元コード１１１ａ〜１１１ｃに含まれる商品識別コードあるいは応募コードがその商品識別コードあるいは応募コードによって識別される商品毎に付与されたポイントと対応づけて登録されているため、情報管理登録部１４２においては、メール送受信部１４１から通知された商品識別コードあるいは応募コードによって、利用者に付与するポイントが認識される。
【００４８】
情報管理登録部１４２においては、メール送受信部１４１から通知された送信元アドレスが既に管理情報データベース１５１に登録されているかどうかが確認され、メール送受信部１４１から通知された送信元アドレスが管理情報登録部１４２に登録されていない場合は、送信元メールアドレスと商品識別コードあるいは応募コードに対応づけられたポイントとが対応づけられて管理情報データベース１５１に登録される。一方、メール送受信部１４１から通知された送信元アドレスが既に管理情報データベース１５１に登録されている場合は、管理情報データベース１５１に登録されている送信元アドレスと対応づけられたポイントに、商品識別コードあるいは応募コードに対応づけられたポイントが加算されて管理される。
【００４９】
これにより、情報管理装置１４０においては、携帯端末１２０の利用者が携帯端末１２０にて、商品１１０ａ〜１１０ｃに貼付されたシール１１２ａ〜１１２ｃに掲載された二次元コード１１１ａ〜１１１ｃを読み取ることにより獲得したポイントが一元的に管理されることになる。
【００５０】
その後、情報管理装置１４０において、携帯端末１２０の電子メールアドレスに対応づけられて管理情報データベース１５１に登録されたポイント情報が携帯端末１２０に送信される（ステップＳ２９）。
【００５１】
情報管理装置１４０から送信されたポイント情報は、通信回線１３０を介して携帯端末１２０にて受信、表示され（ステップＳ３０）、それにより、携帯端末１２０の利用者は、自分の現在の獲得ポイントを認識することができる。
【００５２】
このように、本形態においては、携帯端末１２０の利用者が、商品１１０ａ〜１１０ｃに貼付されたシール１１２ａ〜１１２ｃに掲載された二次元コード１１１ａ〜１１１ｃを読み取り、この二次元コード１１１ａ〜１１１ｃに含まれる情報によって携帯端末１２０にて作成される電子メールを送信するだけで、携帯端末１２０の利用者のポイントが情報管理装置１４０にて管理されるため、携帯端末１２０の利用者は、商品識別コードや応募コードを入力する等といった誤入力が生じる虞れがある行為を行うことなく、ポイント応募を行うことができ、商品識別コードや応募コードの桁数等のコード体系がいかなるものであっても、入力ミスが生じることがなく、また、不正入力も防止することができる。
【００５３】
また、通信回線１３０に含まれる無線基地局（不図示）のうち、携帯端末１２０が存在している領域をカバーするセルを有し、携帯端末１２０と通信を行う無線基地局の位置情報や、携帯端末１２０が自装置位置検出機能を有するものである場合は携帯端末１２０にて検出された位置情報が、電子メールとともに情報管理装置１４０に通知されれば、情報管理装置１４０において、携帯端末１２０にて商品１１０ａ〜１１０ｃに貼付されたシール１１２ａ〜１１２ｃに掲載された二次元コード１１１ａ〜１１１ｃが読み取られた際の位置情報を取得することができ、例えば、商品１１０ａ〜１１０ｃｃが販売される地域と携帯端末１２０から電子メールが送信された地点とを照合することができる。
【００５４】
また、商品１１０ａ〜１１０ｃに貼付されたシール１１２ａ〜１１２ｃに掲載された二次元コード１１１ａ〜１１１ｃに含まれる商品識別コードや応募コードを暗号化しておくことも考えられ、その場合、携帯端末１２０から送信されてきた電子メールに掲載された商品識別コードや応募コードが情報管理装置１４０にて復号されることにより、情報管理装置１４０にて商品識別コードや応募コードが認識されることになるため、携帯端末１２０にて二次元コード１１１ａ〜１１１ｂが読み取られ、商品識別コードが電子メールに掲載された後にこの商品識別コードや応募コードが任意の商品識別コードや応募コードに書き換えられた場合にその旨を検出することができるようになる。
【００５５】
なお、本形態においては、商品１１０ａ〜１１０ｃにシール１１２ａ〜１１２ｃによって貼付された二次元コード１１１ａ〜１１１ｃが携帯端末１２０にて読み取られているが、二次元コード１１１ａ〜１１１ｃの代わりに、上述したような情報が書き込まれたＲＦ−ＩＤを商品１１０ａ〜１１０ｃに貼付することも考えられる。また、携帯端末１２０に限らず、通信回線１３０に接続可能に構成されていれば、二次元コード１１１ａ〜１１１ｃを読み取り可能な読取装置が接続されたパーソナルコンピュータを用いることもできる。
【００５６】
また、本形態のように、商品１１０ａ〜１１０ｃに貼付されたシール１１２ａ〜１１２ｃに掲載された二次元コード１１１ａ〜１１１ｃに含まれる商品識別コードや応募コードによるポイントを管理する他に、ダイレクトメールにダイレクトメールを識別可能なダイレクトメールコードが含まれた二次元コードを掲載しておき、掲載された二次元コードを読み取り、電子メールを送信させるようにし、複数の電子メールを送信することにより特典を与えるようにすれば、ダイレクトメールを閲覧させるきっかけや開封率の向上につながる。
【００５７】
【発明の効果】
以上説明したように本発明においては、通信回線に接続可能な端末と、該端末から送信されてくる情報を通信回線を介して受信し、受信された情報によって特定される情報を管理する情報管理手段とを少なくとも有してなる情報管理システムにおいて、少なくとも情報管理手段の宛先情報が、該宛先情報である旨の識別子とともに含まれてなる識別情報が記録された情報管理用媒体を有し、端末にて、情報管理用媒体から読み取られた識別情報の中に識別子を認識した場合、宛先情報を宛先とした電子メール送信画面を編集して表示し、また、情報管理手段にて、端末から電子メール送信画面による電子メールが送信されてきた場合に当該端末の電子メールアドレスに対応づけて電子メールによる情報を管理する構成としたため、複数回の手続きを行う場合においても、その手続きによる情報が、情報管理手段にて手続きを行った端末の電子メールアドレスに対応づけて管理されていることになり、それにより、複数回の手続きによる情報を、簡易なシステム構成で、かつ、利用者に手間をかけさせずに一元的に管理することができる。
【００５８】
また、情報管理手段において、端末から電子メール送信画面による電子メールが送信されてきた場合に、電子メールによる情報に応じた通知情報を当該電子メールの送信元の端末に送信する構成としたものにおいては、端末の利用者が、情報管理手段に送信された電子メールによる情報に応じた通知情報を取得することができる。
【００５９】
また、情報管理手段において、複数の端末の電子メールアドレスを予め決められた対応づけで管理しておき、端末から電子メールが送信されてきた場合、該電子メールの送信元となる端末の電子メールアドレスと対応づけられた電子メールアドレスによって特定される端末に電子メールによる情報を送信する構成としたものにおいては、端末の利用者が、予め対応づけられた端末から情報管理手段に送信された情報を認識することができる。
【図面の簡単な説明】
【図１】図１は、本発明の情報管理システムの第１の実施の形態を示す図である。
【図２】図１に示した情報管理システムを用いたポイントラリーゲームの方法を説明するためのフローチャートである。
【図３】本発明の情報管理システムの第２の実施の形態を示す図である。
【図４】図３に示した情報管理システムを用いたポイント管理方法を説明するためのフローチャートである。
【符号の説明】
１０ａ〜１０ｃ    シート
１１ａ〜１１ｃ，１１１ａ〜１１１ｃ    二次元コード
１２ａ〜１２ｃ    ポイント地点情報
２０，１２０    携帯端末
３０，１３０    通信回線
４０，１４０    情報管理装置
４１，１４１    メール送受信部
４２，１４２    情報登録管理部
４３    通知情報設定部
５１，１５１    管理情報データベース
５２    配信情報データベース
１１０ａ〜１１０ｃ    商品
１１２ａ〜１１２ｃ    シール
【図１】
2004355353.tif 000003
【図２】
2004355353.tif 000004
【図３】
2004355353.tif 000005
【図４】
2004355353.tif 000006